(57)【特許請求の範囲】
【請求項１】
建物の内部の空間を包囲する内壁と、該内壁の外側に所定距離離間されて設けられた外壁と、前記内壁と前記外壁との間に形成された空間を有する空気流れ領域と、該空気流れ領域を複数の空気流れ区画に分割する空気流れ領域分割部材とを備え、前記空気流れ領域が、建物の４つの面に対応した４つの空気流れ区画に分割され、前記４つの空気流れ区画のそれぞれの上部及び下部に換気口を備えていることを特徴とする建物の断熱システム。
【請求項２】
前記内壁及び前記外壁の表面の少なくとも１つに形成された断熱材を備えていることを特徴とする請求項１に記載の建物の断熱システム。
【請求項３】
上部及び下部の換気口のための開閉システムを備えていることを特徴とする請求項１に記載の建物の断熱システム。
【発明の詳細な説明】
【０００１】
【発明の属する技術分野】
本発明は、建物の断熱システムに関する。特に、本発明は、環境の要求に応じて人工的に変化させることができる断熱システムに関する。本発明の断熱システムによれば、縦方向の空気流れ領域が、建物の方向あるいは各面によって分割され、そして空気流れ領域を開閉することによって制御される。
【０００２】
【従来の技術】
一般に、外部の温度から建物の内部の温度を保護するために、所定厚さの断熱材が建物の外壁に形成される。より効果的に断熱するために、空気流れ領域が建物の外壁にさらに形成されるシステムが提供されている。この断熱システムを用いる場合には、特に夏に、外部から建物の内部に移動される熱エネルギーは空気流れ領域を通して外部に戻される。建物の居住空間の熱エネルギーは建物の外部に移動されるのを防止される。これは、空気流れ領域が建物の断熱材として重要な役割を果たすことを意味する。この従来のシステムに関して、本出願人は、韓国特許庁から特許第１８６９６６号と特許第１９６９６７号を得ている。
【０００３】
上述の従来の技術を、図１及び図２を参照して以下に要約する。建物の外壁１０と、該外壁１０から所定距離離間しているとともに、断熱材２１をその表面に備えた内壁２０が設けられている。その結果、外壁１０と内壁２０との間に空間が形成され、この空間が空気流れ領域５０となる。流入口５１が建物の外壁１０の下部に形成され、流出口５３が外壁１０の上部に形成される。外部の環境が高い温度の場合、即ち夏の場合は、高い熱エネルギー（例えば、太陽エネルギー８０）が外部の環境から外壁１０を通して建物内に放射される。空気流れ領域５０に流入した熱エネルギーは、空気流れ領域５０内の空気を加熱する。暖かい空気は上昇するため、加熱された空気は流出口５３を通して流出する。空気流れ領域５０の空気より低い温度の建物の内部の空気は、流入口５１を通して空気流れ領域５０内に流入する。このため、熱エネルギーは建物の内部空間に移動されることがなく、建物の外部に戻される。空気流れ領域５０の機能を高めるために、動力ファンが流出口５３または流入口５１に設置される。そのとき、空気循環がより活発化する。
【０００４】
【発明が解決しようとする課題】
この従来の建物の断熱システムにおいては、空気流れ領域５０が建物の表面部分に形成され、この空気流れ領域５０が一構造として建物の表面を包囲している。換言すると、空気流れ領域５０の全ての部分に分割された部分がないので、空気は空気流れ領域５０内を水平方向及び垂直方向に流れることができる。しかしながら、方向、日光の量、放射量及び空気の流れによって、壁の各側は異なった熱状態を有している。太陽の高さは季節により異なるので、建物の壁の各側は異なった熱エネルギーを受け取る。例えば、太陽の高さが低い冬に、南側の外壁は他の側より大きな量の熱エネルギーを受け取る。夏には、太陽の高さと放射時間のために、西側の外壁は南側の外壁よりもっと熱エネルギーを受け取る。したがって、外壁を通して吸収される熱エネルギーのパターン及び数字上の価値は、太陽エネルギーの日々及び季節の変化により異なるので、建物の方向及び面に応じて空気流れ領域に別々に分割された空気流れブロックが必要とされる。
【０００５】
本発明の目的は、建物を包囲している空気層を使用する建物の断熱システムの断熱性能を高めることである。
また、本発明の他の目的は、内壁から所定距離離間している外壁と、建物の方向及び面に応じて空気流れ領域を柱状空間に分割する分割部材を形成するようにして、内壁と外壁との間に空気流れ領域が形成されている建物の断熱システムを提案することである。
【０００６】
【課題を解決するための手段】
請求項１に記載の本発明に係る建物の断熱システムは、建物の内部の空間を包囲する内壁と、該内壁の外側に所定距離離間されて設けられた外壁と、前記内壁と前記外壁との間に形成された空間を有する空気流れ領域と、該空気流れ領域を複数の空気流れ区画に分割する空気流れ領域分割部材とを備え、前記空気流れ領域が、建物の４つの面に対応した４つの空気流れ区画に分割され、前記４つの空気流れ区画のそれぞれの上部及び下部に換気口を備えていることを特徴とする。
【０００８】
請求項２に記載の本発明に係る建物の断熱システムは、請求項１の発明において、前記内壁及び前記外壁の表面の少なくとも１つに形成された断熱材を備えていることを特徴とする。
【０００９】
請求項３に記載の本発明に係る建物の断熱システムは、請求項１の発明において、上部及び下部の換気口のための開閉システムを備えていることを特徴とする。
【００１０】
【発明の実施の形態】
以下、本発明を図３〜５を参照しつつ説明する。
これらの図は、本発明に係る断熱システムの断面図である。本発明では、建物の内部空間を包囲する内壁１２０が設けられている。幾つかのケースでは、内部の熱エネルギーが外側へ移動するのを防止するために、断熱材１２１が内壁１２０の外面又は内面に形成されている。同時に、外部から建物の内部への熱の移動が防止される。
【００１１】
建物の形状を形作る外壁１１０が内壁１２０から所定距離離間されて形成されている。幾つかのケースでは、断熱材１２１が外壁１１０の内面に形成されている。外壁１１０と内壁１２０との間に形成される空間が空気流れ領域１５０である。空気流れ領域１５０内の空気は、建物の外部から移動される熱エネルギーを防ぐ、あるいは建物の内部から移動される熱エネルギーを防ぐ空気層として機能する。
【００１２】
一般に、建物は、４つの面を有しており、これらの各面はそれが直面している異なった自然環境に応じて異なった熱エネルギーを受け取る。状況により、１つの面が他の面より高い熱エネルギーを持ち得る。この場合、高い熱エネルギーを有する面の空気流れ区画の空気は、他の面より加熱される。そのため、この加熱された空気を空気流れ領域１５０の外部に排出しなければならない。他方、より低い熱エネルギーを有する他の空気流れ区画内の空気を排出する必要はない。そこで、面又は方向に応じて空気流れ領域を４つの空気流れ区画１５０ａ，１５０ｂ，１５０ｃ及び１５０ｄに分割する空気流れ領域分割部材１５７を設けるのが好ましい。空気流れ領域１５０の場合には、東の空気流れ区画１５０ａ、西の空気流れ区画１５０ｂ、南の空気流れ区画１５０ｃ及び北の空気流れ区画１５０ｄの４つの方向に分割される。もし南の面が強く熱エネルギーを受け取る場合には、南の空気流れ区画１５０ｃで加熱された空気のみが外部へ排出されるべきである。その結果、断熱は効果的に行われる。
【００１３】
空気の流れを作るために、外壁１１０に入口を形成することによって、換気口が空気流れ領域１５０の各区画の上部及び下部に形成される。ある空気流れ区画１５０ａ、１５０ｂ、１５０ｃ又は１５０ｄ内で加熱された空気は、空気流れ区画の上部に形成された流出口（換気口）１５３を通して排出され、同時に、空気流れ区画内の空気よりも低い温度の外部の空気が、空気流れ区画の下部に形成された流入口（換気口）１５１を通して流入する。空気の流れの速さを速くするために、流出口１５３又は流入口１５１に動力ファン１５５を設置するのがよい。
【００１４】
図４は、外部の温度が高いときに、外部の熱エネルギーが移動するのを防止することによって建物の内部の断熱効果を高めるために、空気を排出する空気流れ領域の状態を示している。
図５は、外部の温度が低いときに、建物の内部の熱エネルギーが持ち去られるのを防止することによって建物の内部の断熱効果を高めるために、空気流れ領域の空気を閉塞することによって、建物の外壁に太陽エネルギーにより加熱された空気を蓄積する状態を示している。
【００１５】
図６は、空気流れ領域の空気の流れを循環及び妨げるための開閉機能を有する器具（例えば、モーターボリュームダンパー）の例を示している。
図７は、図６に示した空気の流入口／流出口の入口を示している。
図８は、流出口又は流入口に設置された動力ファン１５５を示している。
【００１６】
【発明の効果】
本発明によれば、断熱が従来技術よりも効率的に行われる。本発明は、複数の空気流れ区画が形成され、幾つかの開口された区画が外部の熱エネルギーが建物の内部空間に移動するのを効率的に防止するように、空気流れ区画が人工的に制御される断熱システムを提案する。さらに、空気の温度がそれ以下に低下しないように保持されるべきである幾つかの区画は閉塞される。これにより、これらの空気流れ区画に保持された空気は、内部の熱エネルギーを維持し、内部の熱エネルギーが外部に移動するのを防止する空気層として機能することができる。
【図面の簡単な説明】
【図１】建物の断熱システムの従来技術を示す横断面図である。
【図２】従来の建物の断熱システムを示す図であって、空気流れ領域の換気によって熱が内部の空間に流入することを防止する空気流れ領域の役割を説明するための縦断面図である。
【図３】本発明に係る建物の断熱システムを示す横断面図である。
【図４】本発明に係る建物の断熱システムを示す図であって、空気流れ領域の機能を説明するための縦断面図である。
【図５】本発明に係る建物の断熱システムを示す図であって、空気流れ領域の機能を説明するための縦断面図である。
【図６】換気のための器具を示す斜視図である。
【図７】本発明に係る換気口に用いられている流入／流出口の例を示す斜視図である。
【図８】換気器具に設置されている動力ファンを示す図である。
【符号の説明】
１１０    外壁
１２０    内壁
１２１    断熱材
１５０    空気流れ領域
１５０ａ、１５０ｂ、１５０ｃ、１５０ｄ    空気流れ区画
１５１    流入口（換気口）
１５３    流出口（換気口）
１５７    空気流れ領域分割部材
【図１】
0003540245.tif 000002
【図２】
0003540245.tif 000003
【図３】
0003540245.tif 000004
【図４】
0003540245.tif 000005
【図５】
0003540245.tif 000006
【図６】
0003540245.tif 000007
【図７】
0003540245.tif 000008
【図８】
0003540245.tif 000009